(57)【要約】【課題】従来の技術のシートを、良くない姿勢を直しおよび／または支えるために背もたれに従来の技術よりも容易に詰め物を入れることができるように、改善する。【解決手段】背面（４）に設けられた上張り（２）は、外から出し入れ可能な中空空間（５）が、前面（３）に向いている内層（２´´）と、この内層と向かい合っている外層（７）とによって形成されることができ、両方の層（２´´，７）のうちの少なくとも一方には、複数のクッション（８）が取外し自在に取り付けられることができ、中空空間（５）が閉じられているときは、これらのクッションに力が加えられることができるように、作られている。【選択図】      図１
2009073481.tif 000002
【特許請求の範囲】
【請求項１】
フレーム（１）と、このフレーム（１）を包み込んでいる上張り（２）とからなり、かつ前面（３）および背面（４）を有する背もたれ（０）を具備する、特にベビーカー用のシートにおいて、
前記背面（４）に設けられた前記上張り（２）は、外から出し入れ可能な中空空間（５）が、前記前面（３）に向いている内層（２´´）と、この内層と向かい合っている外層（７）とによって形成されることができ、前記両方の層（２´´，７）のうちの少なくとも一方には、複数のクッション（８）が取外し自在に取り付けられることができ、前記中空空間（５）が閉じられているときは、これらのクッションに力が加えられることができるように、作られていることを特徴とするシート。
【請求項２】
前記外層（７）は、少なくとも１つのファスナ（６）によって、前記上張り（２）の複数の側面部分（２´）に取り付けられることができることを特徴とする請求項１に記載のシート。
【請求項３】
前記外層（７）は、縁部（７´´）で、紛失なしに前記上張り（２）に接続されていることを特徴とする１または２に記載のシート。
【請求項４】
各々の縦縁には、ファスナ（６）が設けられていることを特徴とする請求項２または３に記載のシート。
【請求項５】
前記ファスナ（６）は、３つの縁部に取り囲むように形成されていることを特徴とする請求項２に記載のシート。
【請求項６】
前記複数のクッション（８）は、マジックファスナによって取付可能であることを特徴とする請求項１に記載のシート。
【請求項７】
前記複数のクッション（８）は、前記内層(２´´)に取付可能であることを特徴とする請求項１または６に記載のシート。
【請求項８】
前記複数のクッション（８）は、寸法が異なることを特徴とする請求項１，６または７のいずれか１に記載のシート。
【請求項９】
前記外層（７）は、前記少なくとも１つのクッション（８）に加えられた力を作用させるおよび／または強めるための少なくとも１つのパターンプレート（９´，９）を有することを特徴とする請求項１に記載のシート。
【発明の詳細な説明】
【技術分野】
【０００１】
本発明は、フレームと、このフレームを包み込んでいる上張りとからなり、かつ前面および背面を有する背もたれを具備する、特に、ベビーカー、例えばリハビリ用ベビーカーまたは車いすのためのシートに関する。
【背景技術】
【０００２】
シートの前面では、シートに座っている人の背中が支えられる。シートは、例えば特許文献１から公知である。
【０００３】
特に、シートを短期間だけでなく利用する障害者の場合、当たる個所を回避するためには、背もたれを、個々の解剖学的構造に適合させねばならない。障害を持つ利用者の良くない姿勢も、個々に直しまたは支えねばならない。この目的のために、障害者を、背もたれから持ち上げ、次に、クッションを入れて、障害者を再度背もたれへあてがう。個々の詰め物が実際に適合するまで、クッションの位置をしばしば直さねばならない。それ故に、障害者を背もたれから持ち上げ、背もたれへあてがうという過程が、同様に、しばしばなされねばならない。このことは、障害者自身にとって不快であるだけでなく、障害者の障害度に応じて、介助者にとっても、非常に辛くかつ労力を要する。
【特許文献１】GB 426,463 A
【発明の開示】
【０００４】
課題の提示を前提として、明細書の最初の部分に記載されたシートを、良くない姿勢を直しおよび／または支えるために背もたれに従来の技術より容易に詰め物を入れることができるように、改善する。
【０００５】
上記課題を解決するために、前提部分に記載のシートは、背面に設けられた上張りは、外から出し入れ可能な中空空間が、前面に向いている内層と、この内層と向かい合っている外層とによって形成され、両方の層のうちの少なくとも一方には、複数のクッションが取外し自在に取り付けられることができ、中空空間が閉じられているときは、これらのクッションに力が加えられることができるように、作られていることを特徴とする。
【０００６】
この実施の形態によって、背もたれに後方から詰め物を入れることが可能である。この場合、詰め物を入れるべき個所は、介助者によって即座に認識されることが可能である。何故ならば、そこには、上張りとの身体接触がないからであり、あるいは、誤った身体接触が触知されるからである。詰め物を入れるべき個所には、クッションが取り付けられる。中空空間を閉じた後にクッションに加えられた力によって、背中が適切に支えられる。
【０００７】
外層が、少なくとも１つのファスナによって背面に取付可能である。これにより、中空空間を、迅速にかつ容易に開閉することができる。
【０００８】
外層が、縁部で、好ましくは上縁で、紛失なしに上張りに接続されているとき、中空空間は、トランクのように開けられ、かつ再度容易に閉じられる。
【０００９】
各々の縦縁には、ファスナが設けられていてもよい。ファスナは、３つの縁部に取り囲むように形成されていることが可能である。それ故に、中空空間は完全に閉じられている。上では、外層が、上張りに接続され、例えば縫い合わせられており、ファスナによって、取り囲むように閉じられる。
【００１０】
複数のクッションが、マジックファスナによって取り付けられるとき、詰め物入れが容易に実現され、障害のある子どもが例えば成長したとき、再度変えることができる。
【００１１】
クッションが中空空間の内側に取り付けられていることは好ましい。それ故に、加えられる力が、中空空間の閉鎖可能な外面（カバー）に亘って作用される。
【００１２】
個々の適合を容易にするために、クッションが異なった大きさであることは好ましい。
【００１３】
１つのまたは複数のクッションに加えられる力を増大しまたは強めために、すなわち、クッションに加えられた圧力を均一化するために、外層に、複数のパターンプレートが取り付けられていることは好ましい。これらのターンプレートは、外層が上張りに完全に接続されており、従って中空空間が閉じられているとき、クッションを押圧する。
【発明を実施するための最良の形態】
【００１４】
以下、図面を参照して、本発明の実施の形態を詳述する。図には、背もたれのみが示されている。完全なシートとしては、シート面を補わねばならない。
【００１５】
背もたれ１は、フレーム１と、このフレームを包み込んでいる、織物または布製の上張り２とからなる。背もたれ１の前面３では、シートを使用する人Ｐの背中が支えられる。背面４では、中空空間５が形成されている。この中空空間は、背中を支持する内層２´´と、複数の側方部分２´と、ファスナ６によってこれらの側方部分２´に接続可能な外層７とによって形成される。ここには詳細には示さないマジックファスナによって、大きさの異なるクッション８を、内層２´´に取り付けることができる。
【００１６】
外層７の内側７´には、複数のパターンプレート９が設けられている。これらのパターンプレートは、外層７がファスナ６によって側方部分２´に接続されているとき、クッション８に力を加え、かつ加えられた圧力を均一化する。図４に示すように、只１つのパターンプレート９´のみが設けられている。このパターンプレートは、実質的に全面的に外層７を覆っている。
【図面の簡単な説明】
【００１７】
【図１】中空空間を開いた状態にある、背もたれの背面の斜視図を示す。
【図２】中空空間を閉じた状態にある図１に示す背もたれの図を示す。
【図３】背もたれの他の図を示す。
【図４】図３の線Ａ−Ａに沿った断面を示す。
【符号の説明】
【００１８】
１  フレーム
２  上張り
２´  側方部分
２´´  内側
３  前面
４  背面
５  中空空間
６  ファスナ
７  外層
７´  内側
７´´  縁部
８  クッション
９  パターンプレート
９´  パターンプレート
０  背もたれ
Ｐ  人
【図１】
2009073481.tif 000003
【図２】
2009073481.tif 000004
【図３】
2009073481.tif 000005
【図４】
2009073481.tif 000006